(57)【特許請求の範囲】
【請求項１】
車両に搭載される再生装置に第１のデータを提供する提供装置に接続される情報処理装置において、
前記提供装置から送信されてきた、前記車両に供給された動力用のエネルギーの供給量に対応する信号を受信する第１の受信手段と、
前記提供装置から送信されてきた、前記第１のデータを識別する第２のデータを受信する第２の受信手段と、
前記第１の受信手段により受信された前記供給量に対応する信号に基づいて、前記再生装置における前記第１のデータの使用を制限する使用制限条件であって、前記供給量で前記車両が走行可能な走行距離で設定される使用制限条件を決定する決定手段と、
前記第２の受信手段により受信された前記第２のデータより識別された前記第１のデータを取得する取得手段と、
前記決定手段により決定された前記使用制限条件および前記取得手段により取得された前記第１のデータを、前記提供装置に送信する送信手段と
を備えることを特徴とする情報処理装置。
【請求項２】
車両に搭載される再生装置に第１のデータを提供する提供装置に接続される情報処理装置の情報処理方法において、
前記提供装置から送信されてきた、前記車両に供給された動力用のエネルギーの供給量に対応する信号を受信する第１の受信ステップと、
前記提供装置から送信されてきた、前記第１のデータを識別する第２のデータを受信する第２の受信ステップと、
前記第１の受信ステップの処理で受信された前記供給量に対応する信号に基づいて、前記再生装置における前記第１のデータの使用を制限する使用制限条件であって、前記供給量で前記車両が走行可能な走行距離で設定される使用制限条件を決定する決定ステップと、
前記第２の受信ステップの処理で受信された前記第２のデータより識別された前記第１のデータを取得する取得ステップと、
前記決定ステップの処理で決定された前記使用制限条件および前記取得ステップの処理で取得された前記第１のデータを、前記提供装置に送信する送信ステップと
を含むことを特徴とする情報処理方法。
【請求項３】
車両に搭載される再生装置に第１のデータを提供する提供装置と通信するためのプログラムであって、
前記提供装置からの前記車両に供給された動力用のエネルギーの供給量に対応する信号を入力する第１の入力ステップと、
前記提供装置からの前記第１のデータを識別する第２のデータを入力する第２の入力ステップと、
前記第１の入力ステップの処理で入力された前記供給量に対応する信号に基づいて、前記再生装置における前記第１のデータの使用を制限する使用制限条件であって、前記供給量で前記車両が走行可能な走行距離で設定されるを決定する決定ステップと、
前記第２の入力ステップの処理で入力された前記第２のデータより識別された前記第１のデータを取得する取得ステップと、
前記決定ステップの処理で決定された前記使用制限条件および前記取得ステップの処理で取得された前記第１のデータを、前記提供装置に出力する出力ステップと
を含むことを特徴とする処理をコンピュータに実行させるプログラムが記録されている記録媒体。
【請求項４】
車両に、動力用のエネルギーを供給するとともに、前記車両に搭載される再生装置に提供する第１のデータを保持するサーバに接続される情報処理装置において、
前記車両に供給した前記エネルギーの供給量に対応する信号を、前記サーバに送信する第１の送信手段と、
前記再生装置から送信されてきた、前記第１のデータを識別する第２のデータを受信する第１の受信手段と、
前記第１の受信手段により受信された前記第２のデータを、前記サーバに送信する第２の送信手段と、
前記サーバから送信されてきた、前記第２の送信手段により送信された前記第２のデータより識別された前記第１のデータ、および前記第１の送信手段により送信された前記供給量に対応する信号に基づいて決定された、前記再生装置における前記第１のデータの使用を制限する使用制限条件であって、前記供給量で前記車両が走行可能な走行距離で設定される使用制限条件を受信する第２の受信手段と、
前記第２の受信手段により受信された前記第１のデータおよび前記使用制限条件を、前記再生装置に送信する第３の送信手段と
を備えることを特徴とする情報処理装置。
【請求項５】
前記第１の受信手段は、前記再生装置から送信されてきた前記第２のデータを光信号として受信し、
前記第３の送信手段は、前記第２の受信手段により受信された前記第１のデータおよび前記使用制限条件を光信号に変換し、前記再生装置に出力する
ことを特徴する請求項４に記載の情報処理装置。
【請求項６】
車両に、動力用のエネルギーを供給するとともに、前記車両に搭載される再生装置に提供する第１のデータを保持するサーバに接続される情報処理装置の情報処理方法において、
前記車両に供給された前記エネルギーの供給量に対応する信号を、前記サーバに送信する第１の送信ステップと、
前記再生装置から送信されてきた、前記第１のデータを識別する第２のデータを受信する第１の受信ステップと、
前記第１の受信ステップの処理で受信された前記第２のデータを、前記サーバに送信する第２の送信ステップと、
前記サーバから送信されてきた、前記第２の送信ステップの処理で送信された前記第２のデータより識別された前記第１のデータ、および前記第１の送信ステップの処理で送信された前記供給量に対応する信号に基づいて決定された、前記再生装置における前記第１のデータの使用を制限する使用制限条件であって、前記供給量で前記車両が走行可能な走行距離で設定される使用制限条件を受信する第２の受信ステップと、
前記第２の受信ステップの処理で受信された前記第１のデータおよび前記使用制限条件を、前記再生装置に送信する第３の送信ステップと
含むことを特徴とする情報処理方法。
【請求項７】
車両に搭載される再生装置、および前記再生装置に提供する第１のデータを保持するサーバと通信するためのプログラムであって、
前記車両に供給されたエネルギーの供給量に対応する信号を、前記サーバに出力する前記第１の出力ステップと、
前記再生装置からの前記第１のデータを識別する第２のデータを入力する第１の入力ステップと、
前記第１の入力ステップの処理で入力された前記第２のデータを、前記サーバに出力する第２の出力ステップと、
前記サーバからの、前記第２の出力ステップの処理で出力された前記第２のデータより識別された前記第１のデータ、および前記第１の出力ステップの処理で出力された前記供給量に対応する信号に基づいて決定された、前記再生装置における前記第１のデータの使用を制限する使用制限条件であって、前記供給量で前記車両が走行可能な走行距離で設定される使用制限条件を入力する第２の入力ステップと、
前記第２の入力ステップの処理で入力された前記第１のデータおよび前記使用制限条件を、前記再生装置に出力する第３の出力ステップと
を含むことを特徴とする処理をコンピュータに実行させるプログラムが記録されている記録媒体。
【請求項８】
第１のデータを提供する提供装置に接続される、車両に搭載される情報処理装置において、
前記第１のデータを識別する第２のデータを前記提供装置に送信する送信手段と、
前記提供装置から送信されてきた、前記第１のデータ、および前記第１のデータの使用を制限する使用制限条件であって、前記供給量で前記車両が走行可能な走行距離で設定される使用制限条件を受信する受信手段と、
前記受信手段により受信された前記使用制限条件に基づいて、前記第１のデータを使用するための処理を実行する実行手段と
を備えることを特徴とする情報処理装置。
【請求項９】
前記送信手段は、前記第２のデータを、光信号に変換し、前記提供装置に出力し、
前記受信手段は、前記提供装置から、前記第１のデータおよび前記使用制限条件を、光信号として受信する
ことを特徴する請求項８に記載の情報処理装置。
【請求項１０】
第１のデータを提供する提供装置に接続される、車両に搭載される情報処理装置の情報処理方法において、
前記第１のデータを識別する第２のデータを前記提供装置に送信する送信ステップと、
前記提供装置から送信されてきた、前記第１のデータ、および前記第１のデータの使用を制限する使用制限条件であって、前記供給量で前記車両が走行可能な走行距離で設定される使用制限条件を受信する受信ステップと、
前記受信ステップの処理で受信された前記使用制限条件に基づいて、前記第１のデータを使用するための処理を実行する実行ステップと
を含むことを特徴とする情報処理方法。
【請求項１１】
第１のデータを提供する提供装置と通信するためのプログラムであって、
前記第１のデータを識別する第２のデータを前記提供装置に出力する出力ステップと、
前記提供装置からの前記第１のデータ、および前記第１のデータの使用を制限する使用制限条件であって、前記供給量で前記車両が走行可能な走行距離で設定される使用制限条件を入力する入力ステップと、
前記入力ステップの処理で入力された前記使用制限条件に基づいて、前記第１のデータを使用するための処理を実行する実行ステップと
を含むことを特徴とする処理をコンピュータに実行させるプログラムが記録されている記録媒体。
【発明の詳細な説明】
【０００１】
【発明の属する技術分野】
本発明は、情報処理装置および方法、並びに記録媒体に関し、特に、使用制限条件の範囲内で使用されるデータを提供することができるようにした情報処理装置および方法、並びに記録媒体に関する。
【０００２】
【従来の技術】
通常、自動車には、コンパクトディスクやカセットテープを再生する再生装置が搭載されており、ドライバ（ユーザ）は、例えば、自分自身で店舗から購入したコンパクトディスクやカセットテープをその再生装置により再生させることにより、それに記録されている音楽を、自動車内で聴くことができる。また、近年、ナビゲーション装置も搭載されている自動車が増え、この場合、ユーザは、購入した、地図情報が記録されているCD−ROMをナビゲーション装置により再生させることより、道路案内を受けることができる。
【０００３】
【発明が解決しようとする課題】
しかしながら、上述したように、ユーザは、所望の情報が記録されている記録媒体（コンパクトディスク、カセットテープ、またはCD−ROM）を購入し、自動車内に持ち込まなければならず、手間がかかる課題があった。
【０００４】
そこで、車両に設けられた、例えば、ガソリンの給油口外縁部にデータ通信用のコネクタを設けるとともに、ガソリン給油所の給油機の給油ハンドルに接続ケーブルを設け、給油ノズルが自動車の給油口に挿入され給油されている際に、ユーザが希望する情報（例えば、楽曲データや地図データ）を、自動車に搭載された装置に供給するシステムも提案されている。
【０００５】
しかしながら、この場合、例えば、給油量に比例して、情報提供料金を割引したり、情報の使用時間を制限したりするなど、提供する情報の利用に関し、変化に富んだサービスが提案されていない課題があった。
【０００６】
本発明はこのような状況に鑑みてなされたものであり、変化に富んだサービスを提供できるようにするものである。
【０００７】
【課題を解決するための手段】
請求項１に記載の情報処理装置は、提供装置から送信されてきた、車両に供給された動力用のエネルギーの供給量に対応する信号を受信する第１の受信手段と、提供装置から送信されてきた、第１のデータを識別する第２のデータを受信する第２の受信手段と、第１の受信手段により受信された供給量に対応する信号に基づいて、再生装置における第１のデータの使用を制限する使用制限条件であって、供給量で車両が走行可能な走行距離で設定される使用制限条件を決定する決定手段と、第２の受信手段により受信された第２のデータより識別された第１のデータを取得する取得手段と、決定手段により決定された使用制限条件および取得手段により取得された第１のデータを、提供装置に送信する送信手段とを備えることを特徴とする。
【０００８】
請求項２に記載の情報処理方法は、提供装置から送信されてきた、車両に供給された動力用のエネルギーの供給量に対応する信号を受信する第１の受信ステップと、提供装置から送信されてきた、第１のデータを識別する第２のデータを受信する第２の受信ステップと、第１の受信ステップの処理で受信された供給量に対応する信号に基づいて、再生装置における第１のデータの使用を制限する使用制限条件であって、供給量で車両が走行可能な走行距離で設定される使用制限条件を決定する決定ステップと、第２の受信ステップの処理で受信された第２のデータより識別された第１のデータを取得する取得ステップと、決定ステップの処理で決定された使用制限条件および取得ステップの処理で取得された第１のデータを、提供装置に送信する送信ステップとを含むことを特徴とする。
【０００９】
請求項３に記載の記録媒体は、提供装置からの車両に供給された動力用のエネルギーの供給量に対応する信号を入力する第１の入力ステップと、提供装置からの第１のデータを識別する第２のデータを入力する第２の入力ステップと、第１の入力ステップの処理で入力された供給量に対応する信号に基づいて、再生装置における第１のデータの使用を制限する使用制限条件であって、供給量で車両が走行可能な走行距離で設定される使用制限条件を決定する決定ステップと、第２の入力ステップの処理で入力された第２のデータより識別された第１のデータを取得する取得ステップと、決定ステップの処理で決定された使用制限条件および取得ステップの処理で取得された第１のデータを、提供装置に出力する出力ステップとを含むことを特徴とする。
【００１０】
請求項１に記載の情報処理装置、請求項２に記載の情報処理方法、および請求項３に記載の記録媒体においては、提供装置からの車両に供給された動力用のエネルギーの供給量に対応する信号が入力され、提供装置からの第１のデータを識別する第２のデータが入力され、入力された供給量に対応する信号に基づいて、再生装置における第１のデータの使用を制限する使用制限条件であって、供給量で車両が走行可能な走行距離で設定される使用制限条件が決定され、入力された第２のデータより識別された第１のデータが取得され、決定された使用制限条件および取得された第１のデータが、提供装置に出力される。
【００１１】
請求項４に記載の情報処理装置は、車両に供給したエネルギーの供給量に対応する信号を、サーバに送信する第１の送信手段と、再生装置から送信されてきた、第１のデータを識別する第２のデータを受信する第１の受信手段と、第１の受信手段により受信された第２のデータを、サーバに送信する第２の送信手段と、サーバから送信されてきた、第２の送信手段により送信された第２のデータより識別された第１のデータ、および第１の送信手段により送信された供給量に対応する信号に基づいて決定された、再生装置における第１のデータの使用を制限する使用制限条件であって、供給量で車両が走行可能な走行距離で設定される使用制限条件を受信する第２の受信手段と、第２の受信手段により受信された第１のデータおよび使用制限条件を、再生装置に送信する第３の送信手段とを備えることを特徴とする。
【００１２】
第１の受信手段は、再生装置から送信されてきた第２のデータを、光信号として受信し、第３の送信手段は、第２の受信手段により受信された第１のデータおよび使用制限条件を光信号に変換し、再生装置に出力することができる。
【００１３】
請求項６に記載の情報処理方法は、車両に供給されたエネルギーの供給量に対応する信号を、サーバに送信する第１の送信ステップと、再生装置から送信されてきた、第１のデータを識別する第２のデータを受信する第１の受信ステップと、第１の受信ステップの処理で受信された第２のデータを、サーバに送信する第２の送信ステップと、サーバから送信されてきた、第２の送信ステップの処理で送信された第２のデータより識別された第１のデータ、および第１の送信ステップの処理で送信された供給量に対応する信号に基づいて決定された、再生装置における第１のデータの使用を制限する使用制限条件であって、供給量で車両が走行可能な走行距離で設定される使用制限条件を受信する第２の受信ステップと、第２の受信ステップの処理で受信された第１のデータおよび使用制限条件を、再生装置に送信する第３の送信ステップと含むことを特徴とする。
【００１４】
請求項７に記載の記録媒体は、車両に供給されたエネルギーの供給量に対応する信号を、サーバに出力する第１の出力ステップと、再生装置からの第１のデータを識別する第２のデータを入力する第１の入力ステップと、第１の入力ステップの処理で入力された第２のデータを、サーバに出力する第２の出力ステップと、サーバからの、第２の出力ステップの処理で出力された第２のデータより識別された第１のデータ、および第１の出力ステップの処理で出力された供給量に対応する信号に基づいて決定された、再生装置における第１のデータの使用を制限する使用制限条件であって、供給量で車両が走行可能な走行距離で設定される使用制限条件を入力する第２の入力ステップと、第２の入力ステップの処理で入力された第１のデータおよび使用制限条件を、再生装置に出力する第３の出力ステップとを含むことを特徴とする。
【００１５】
請求項４に記載の情報処理装置、請求項６に記載の情報処理方法、および請求項７に記載の記録媒体においては、車両に供給されたエネルギーの供給量に対応する信号が、サーバに出力され、再生装置からの第１のデータを識別する第２のデータが入力され、入力された第２のデータが、サーバに出力され、サーバからの、出力された第２のデータより識別された第１のデータ、および出力された供給量に対応する信号に基づいて決定された、再生装置における第１のデータの使用を制限する使用制限条件であって、供給量で車両が走行可能な走行距離で設定される使用制限条件が入力され、入力された第１のデータおよび使用制限条件が、再生装置に出力される。
【００１６】
請求項８に記載の情報処理装置は、第１のデータを識別する第２のデータを提供装置に送信する送信手段と、提供装置から送信されてきた、第１のデータ、および第１のデータの使用を制限する使用制限条件であって、供給量で車両が走行可能な走行距離で設定される使用制限条件を受信する受信手段と、受信手段により受信された使用制限条件に基づいて、第１のデータを使用するための処理を実行する実行手段とを備えることを特徴とする。
【００１７】
送信手段は、第２のデータを、光信号に変換し、提供装置に出力でき、受信手段は、提供装置から、第１のデータおよび使用制限条件を、光信号として受信することができる。
【００１８】
請求項１０に記載の情報処理方法は、第１のデータを識別する第２のデータを提供装置に送信する送信ステップと、提供装置から送信されてきた、第１のデータ、および第１のデータの使用を制限する使用制限条件であって、供給量で車両が走行可能な走行距離で設定される使用制限条件を受信する受信ステップと、受信ステップの処理で受信された使用制限条件に基づいて、第１のデータを使用するための処理を実行する実行ステップとを含むことを特徴とする。
【００１９】
請求項１１に記載の記録媒体は、第１のデータを識別する第２のデータを提供装置に出力する出力ステップと、提供装置からの第１のデータ、および第１のデータの使用を制限する使用制限条件であって、供給量で車両が走行可能な走行距離で設定される使用制限条件を入力する入力ステップと、入力ステップの処理で入力された使用制限条件に基づいて、第１のデータを使用するための処理を実行する実行ステップとを含むことを特徴とする。
【００２０】
請求項８に記載の情報処理装置、請求項１０に記載の情報処理方法、および請求項１１に記載の記録媒体においては、第１のデータを識別する第２のデータが提供装置に出力され、提供装置からの第１のデータ、および第１のデータの使用を制限する使用制限条件であって、供給量で車両が走行可能な走行距離で設定される使用制限条件が入力され、入力された使用制限条件に基づいて、第１のデータを使用するための処理が実行される。
【００２１】
【発明の実施の形態】
図１は、本発明を適用した楽曲データ提供スシテムの構成例を示している。この楽曲データ提供システムにおいては、情報提供サーバ１および給油装置２が設けられているガソリン給油所に給油に来た、自動車に対して、ガソリンの給油が行われる他、所定の使用許諾条件で使用することができる、所定の情報（この例の場合、楽曲データ）が、自動車３の受信再生部８３に供給される。これにより、ドライバ（ユーザ）は、受信再生部８３を利用して、供給された楽曲データを、その使用許諾条件の範囲内で、利用（再生）することができる。
【００２２】
図２は、情報提供サーバ１の構成例を示している。表示部１１は、LCD等から構成されており、さまざまな情報を表示する。操作部１２は、キーボード等から構成されており、制御部１０に所定の指令を入力するときに適宜、例えば、ガソリン給油所の従業員（以下、従業員と称する）により操作される。
【００２３】
使用許諾条件記憶部１３には、例えば、給油量毎または支払金額毎に、楽曲データの使用許諾条件が記憶されている。楽曲データ記憶部１４には、提供される楽曲データが記憶されている。
【００２４】
通信部１５は、給油装置２と通信する処理を行う。
【００２５】
制御部１０は、表示部１１乃至通信部１５を制御する。制御部１０はまた、予め従業員により、操作部１２が操作されて入力された、顧客（ドライバ）にその使用を推薦する楽曲（以下、推薦曲）の名前（例えば、楽曲のID）、および顧客がその使用を選択することができる楽曲（以下、オンデマンド曲）名前（例えば、楽曲のID）を記憶している。
【００２６】
図１に戻り、給油装置２は、情報提供部４１および給油部４２から構成されている。情報提供部４１は、情報提供サーバ１および給油部４２に接続されており、情報提供サーバ１から送信されている信号（例えば、楽曲データ）を受信し、それを給油部４２に出力したり、給油部４２から入力される、自動車３からの信号（例えば、楽曲のID）を情報提供サーバ１に送信する。情報提供部４１はまた、情報提供料金および給油料金を演算し、従業員または顧客に提示する。
【００２７】
図３は、給油装置２の情報提供部４１の構成例を示している。表示部５１は、LCD等から構成されており、さまざまな情報を表示する。操作部５２は、キーボード等から構成されており、制御部５０に所定の指令を入力するときに適宜従業員により操作される。
【００２８】
通信部５３は、情報提供サーバ１（通信部１５）と通信し、情報提供サーバ１から送信されてくる、例えば、楽曲データを受信し、制御部５０に出力したり、制御部５０から入力される、例えば、楽曲のIDを情報提供サーバ１に送信する。通信部５４は、給油部４２と通信し、給油部４２から入力される、例えば、楽曲のIDを制御部５０に出力したり、制御部５０から入力される、例えば、楽曲データを給油部４２に出力する。
【００２９】
制御部５０は、表示部５１乃至通信部５４を制御する。
【００３０】
図４（Ａ）は、給油部４２の装着部６１の外観の構成例を示している。ガソリンが供給される給油ホースが接続されている装着部６１は、その給油パイプ７１が、自動車３の本体の後部側面に設けられている、図４（Ｂ）に示す給油口／通信部８１の給油口９１に挿入され、データ送信用光リンク７２が、給油口／通信部８１のデータ受信用光リンク９２に、そしてデータ受信用光リンク７３が、給油口／通信部８１のデータ送信用光リンク９３に光学的に接続するように装着される。
【００３１】
装着部６１のレバー７４は、給油を開始するときに操作され、これにより、給油パイプ７１からガソリンが放出される。レバー７４はまた、例えば、楽曲データをデータ送信用光リンク７２から出力するときにも操作され、これにより、光信号に変換された楽曲データが、データ送信用光リンク７２から出力され、自動車３の給油口／通信部８１のデータ受信用光リンク９２に入力される。
【００３２】
図１に戻り、自動車３には、図４（Ｂ）に示した給油口／通信部８１が、本体の後部側面に設けられている他、タンク８２および受信再生部８３が設けられている。タンク８２は、給油口／通信部８１を介して給油されたガソリンを貯蔵する。
【００３３】
受信再生部８３は、給油口／通信部８１を介して、給油装置２から送信されてきた、例えば、楽曲データを受信して、再生したり、例えば、楽曲のIDを給油口／通信部８１を介して、給油装置２に送信する。受信再生部８３はまた、タンク８２に貯蔵されているガソリンの残量を検出する残量検出（図示せず）から、検出結果を受信する。
【００３４】
図５は、受信再生部８３の構成例を示している。通信部１０１は、タンク８２に貯蔵されているガソリンの残量を検出する残量検出器に接続され、その検出結果を受信し、制御部１００に出力する。
【００３５】
通信部１０２は、給油口／通信部８１のデータ受信用光リンク９２およびデータ送信用光リンク９３に接続され、データ受信用光リンク９２により受信された光信号を電気信号に変換して、制御部１００に出力する。通信部１０２はまた、制御部１００から入力されたデータを、光信号に変換して、データ送信用光リンク９３に出力する。
【００３６】
表示部１０３は、LCD等から構成されており、さまざまな情報を表示する。操作部１０４は、各種ボタンや表示部１０３に表示されるタッチタッチパネルなどにより構成され、制御部１００に所定の指令を入力するときに適宜ドライバにより操作される。
【００３７】
再生部１０５は、供給装置２から供給された楽曲データ等を、楽曲データ記憶部１０６に記憶させるとともに、楽曲データ記憶部１０６に記憶されている楽曲データを再生し、図示せぬスピーカから出力する。
【００３８】
次に、楽曲データを自動車３に供給する場合の処理手順を、図６のフローチャートを参照して説明する。
【００３９】
ステップＳ１において、供給装置２の給油部４２の装着部６１が、自動車３の給油口／通信部８１に装着され、ガソリンの給油およびデータ通信が可能になると、装着部６１からは、ガソリンが放出され、ガソリンは、自動車３のタンク８２に供給される。
【００４０】
ステップＳ２において、給油装置２の情報提供部４１の制御部５０は、自動車３に給油されたガソリンの給油量を検出し、通信部５３を介して、情報提供サーバ１に出力する。
【００４１】
ステップＳ３において、情報提供サーバ１の制御部１０は、通信部１５を介して給油装置２（情報提供部４１）から送信されてきた給油量を受信すると、ステップＳ４において、使用許諾条件記憶部１３を参照し、受信した給油量に基づいて、予め登録されている（記憶している）推薦曲およびオンデマンド曲の使用許諾条件を決定し、推薦曲およびオンデマンド曲のリスト（以下、楽曲リストと称する）とともに、情報提供部４１に送信する。この例の場合、３００円の料金を支払うことで、給油量分のガソリンが消費されるまで、楽曲を再生することができるものとする。すなわち、この例の場合、ここで決定された使用許諾条件は、ガソリンの給油量の値を示す。なお、情報提供部４１に提供される楽曲リストには、推薦曲およびオンデマンド曲のそれぞれの曲名、歌手名、および曲を紹介する画像データが含まれている。
【００４２】
給油装置２の情報提供部４１に送信された楽曲リストおよび使用許諾条件は、通信部５３により受信された後、通信部５４により、自動車３に送信される。
【００４３】
ステップＳ５において、情報提供部４１の制御部５０は、通信部５４により、給油部４２を介して、自動車３から送信されてくる、ステップＳ４で送信された楽曲リストから選択された楽曲のIDが受信されるまで待機し、楽曲のIDが受信されたとき、ステップＳ６に進み、受信された楽曲のIDを、通信部５３を介して情報提供サーバ１に送信する。
【００４４】
ステップＳ７において、情報提供サーバ１の制御部１０は、情報提供部４１から送信された楽曲のIDを受信し、そのIDが推薦曲のIDか、またはオンデマンド曲のIDかを判定し、推薦曲のIDであると判定した場合、すなわち、ドライバにより、推薦曲が選択された場合、ステップＳ８に進み、楽曲データ記憶部１４から、そのIDにより特定される推薦曲の楽曲データを読み出す。一方、ステップＳ７において、受信されたIDが、オンデマンド曲のIDであると判定された場合、ステップＳ９に進み、そのIDにより特定されるオンデマンド曲の楽曲データを、楽曲データ記憶部１４から読み出す。
【００４５】
情報提供サーバ１の制御部１０は、ステップＳ８またはステップＳ９で、楽曲データを読み出すと、ステップＳ１０に進み、ステップＳ４で決定した使用許諾条件とともに、通信部１５を介して、情報提供部４１に送信する。
【００４６】
ステップＳ１１において、情報提供部４１の制御部５０は、通信部５３を介して、情報提供サーバ１から送信されてきた楽曲データおよび使用許諾条件を受信すると、楽曲データ提供料金（この例の場合、３００円）およびガソリン給油料金とともに、自動車３に送信する。その後、処理は、終了する。
【００４７】
次に、この場合の自動車３の受信再生部８３の動作を、図７のフローチャートを参照して説明する。
【００４８】
ステップＳ２１において、受信再生部８３の制御部１００は、通信部１０２により、給油装置２から送信された楽曲リストおよび使用許諾条件（図６のステップＳ４の処理で送信された楽曲リストおよび使用許諾条件）が受信されるまで待機し、それが受信されたとき、ステップＳ２２に進み、受信された楽曲リスト（推薦曲およびオンデマンド曲のリスト）および使用許諾条件を、表示部１０３に表示させる。この例の場合、表示部１０３には、楽曲リストとともに、１曲３００円で、給料量１リットルにつき、１時間の使用が許諾される旨を示すメッセージが表示される。
【００４９】
ステップＳ２３において、制御部１００は、操作部１０４が操作され、表示部１０３に表示された楽曲リストの楽曲から、ドライバが希望する楽曲が選択されるまで待機し、楽曲が選択されたとき、ステップＳ２４に進み、選択された楽曲のIDを、通信部１０２を介して、給油口／通信部８１に出力する。これにより、選択された楽曲のIDは、給油口／通信部８１を介して給油装置２に送信される。
【００５０】
次に、ステップＳ２５において、制御部１００は、通信部１０２を介して、給油装置２から送信されたきた楽曲データ、使用許諾条件、楽曲提供料金、および給油料金（図６のステップＳ１１の処理で送信された楽曲データ、使用許諾条件、楽曲提供料金、および給油料金）を受信し、そのうち、楽曲データおよび使用許諾条件を楽曲データ記憶部１０６に記憶させる。
【００５１】
ステップＳ２６において、制御部１００は、ステップＳ２５で受信した楽曲提供料金および給油料金を、表示部１０３に表示させ、料金の支払いをユーザに促す。その後、処理は終了する。
【００５２】
次に、提供された楽曲データを利用（再生）する場合の自動車３の受信再生部８３の処理手順を、図８のフローチャートを参照して説明する。
【００５３】
自動車３のドライバが、受信再生部８３の操作部１０４に対し、ガソリン給油所から提供を受けた楽曲を再生する操作を行うと、ステップＳ４１において、受信再生部８３の制御部１００は、ガソリンタンク８２に残っているガソリンの残量を検出する残量検出器から、検出結果を受信し、記憶する。
【００５４】
次に、ステップＳ４２において、制御部１００は、ドライバによる操作部１０４の操作により選択された楽曲の使用許諾条件を、再生部１０５を介して、楽曲データ記憶部１０６から取得する。
【００５５】
ステップＳ４３において、制御部１００は、再生部１０５に対し、ドライバによる操作部１０４の操作により選択された楽曲の再生を指令する。これにより、再生部１０５は、再生が指令された楽曲の楽曲データを、楽曲データ記憶部１０６から読み出して、再生し、図示せぬスピーカから出力する。
【００５６】
次に、ステップＳ４４において、制御部１００は、通信部１０１を介して、残量検出器から入力されるガソリンの残量を受信し、ステップＳ４１で入手した残量から、現在までのガソリンの消費量を算出し、ステップＳ４２で取得した使用許諾条件（ガソリンの給油量）を超えるまで待機する。制御部１００が待機している間においては、楽曲の再生が可能であり、その間においては、ユーザは、その楽曲を聴くことができる。
【００５７】
ステップＳ４４において、ガソリンの消費量が、使用許諾条件を超えたと判定された場合、ステップＳ４５に進み、制御部１００は、再生部１０５を制御して、その楽曲の再生を停止させ、さらに、ステップＳ４６に進み、楽曲データ記憶部１０６からその楽曲を消去させる。
【００５８】
以上のように、給油量に応じて、楽曲データの使用許諾条件を決定し、ドライバが、その使用許諾条件の範囲内で楽曲データを使用するようにしたので、より変化に富んだサービスを、ドライバに提供することが可能となる。
【００５９】
なお、ガソリン給油所は、この例の場合、例えば、自動車の一般的な燃費および速度から、給油量分のガソリンが全て消費される時間を算出し、その時間分に対応した料金を、著作権協会に支払う。
【００６０】
以上においては、給油量が使用許諾条件とされ、その分のガソリンが消費されるまで、楽曲データの使用を可能とする場合を例として説明したが、例えば、給油量分のガソリンが消費される走行距離を算出し、それを使用許諾条件として、自動車３がその使用許諾条件分の距離を走行するまで楽曲データの使用を可能とすることもできる。なお、この場合、自動車３の受信再生部８３は、例えば、タイヤの回転数を検出する検出器から回転数を受信し、走行距離を算出し、使用許諾条件以上走行したか否かを判定する必要がある。
【００６１】
また、４人以上が搭乗している場合、また所定の方角または地域に移動する場合などに、割安料金または無料で、楽曲データの使用を許諾するようにすることもできる。
【００６２】
また、以上においては、自動車３の給油時に、ドライバが楽曲を選択する場合を例として説明したが、自動車３がガソリン給油所に、一定の距離以内に近づいたとき、楽曲リストの供給を受けことができるようにして、ガソリン給油所に到着する前に楽曲を選択することができるようにすることもできる。
【００６３】
また、以上においては、ドライバが、自動車３に搭載された受信再生部８３の操作部１０４を操作して、楽曲を選択する場合を例として説明したが、給油装置２の情報提供部４１の操作部５２をドライバまたは従業員が操作して、楽曲を選択することもできる。
【００６４】
上述した一連の処理は、ハードウエアにより実行させることもできるが、ソフトウエアにより実行させることもできる。一連の処理をソフトウエアにより実行する受信再生部５０１について説明する。
【００６５】
図９の受信再生部５０１は、例えばコンピュータで構成される。CPU（Central Processing Unit）５１１にはバス５１５を介して入出力インタフェース５１６が接続されており、CPU５１１は、入出力インタフェース５１６を介して、ユーザから、キーボード、マウスなどよりなる入力部５１８から指令が入力されると、例えば、ROM（Read Only Memory）５１２、ハードディスク５１４、またはドライブ５２０に装着される磁気ディスク５３１、光ディスク５３２、光磁気ディスク５３３、若しくは半導体メモリ５３４などの記録媒体に格納されているプログラムを、RAM（Random Access Memory）５１３にロードして実行する。さらに、CPU５１１は、その処理結果を、例えば、入出力インタフェース５１６を介して、LCD（Liquid Crystal Display）などよりなる表示部５１７に必要に応じて出力する。なお、プログラムは、ハードディスク５１４やROM５１２に予め記憶しておき、受信再生部５０１と一体的にユーザに提供したり、磁気ディスク５３１、光ディスク５３２、光磁気ディスク５３３，半導体メモリ５３４等のパッケージメディアとして提供したり、衛星、ネットワーク等から通信部５１９を介してハードディスク５１４に提供することができる。
【００６６】
なお、本明細書において、システムの用語は、複数の装置、手段などより構成される全体的な装置を意味するものとする。
【００６７】
また、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【００６８】
【発明の効果】
請求項１に記載の情報処理装置、請求項２に記載の情報処理方法、および請求項３に記載の記録媒体によれば、提供装置からの車両に供給された動力用のエネルギーの供給量に対応する信号を入力し、提供装置からの第１のデータを識別する第２のデータを入力し、入力した供給量に対応する信号に基づいて、再生装置における第１のデータの使用を制限する使用制限条件であって、供給量で車両が走行可能な走行距離で設定される使用制限条件を決定し、第２のデータより識別された第１のデータを取得し、決定した使用制限条件および取得した第１のデータを、提供装置に出力するようにしたので、より変化に富んだサービスを提供することができる。
【００６９】
請求項４に記載の情報処理装置、請求項６に記載の情報処理方法、および請求項７に記載の記録媒体によれば、車両に供給されたエネルギーの供給量に対応する信号を、サーバに出力し、再生装置からの第１のデータを識別する第２のデータを入力し、入力した第２のデータを、サーバに出力し、サーバからの、第２のデータより識別された第１のデータ、および供給量に対応する信号に基づいて決定された、再生装置における第１のデータの使用を制限する使用制限条件であって、供給量で車両が走行可能な走行距離で設定される使用制限条件を入力し、入力した第１のデータおよび使用制限条件が、再生装置に出力するようにしたので、より変化に富んだサービスを提供することができる。
【００７０】
請求項８に記載の情報処理装置、請求項１０に記載の情報処理方法、および請求項１１に記載の記録媒体によれば、第１のデータを識別する第２のデータを提供装置に出力し、提供装置からの第１のデータ、および第１のデータの使用を制限する使用制限条件であって、供給量で車両が走行可能な走行距離で設定される使用制限条件を入力し、入力した使用制限条件に基づいて、第１のデータを使用するための処理を実行するようにしたので、より変化に富んだサービスを提供することができる。
【図面の簡単な説明】
【図１】本発明を適用した楽曲提供サービスシステムの構成例を示す図である。
【図２】図１の情報提供サーバ１の構成例を示すブロック図である。
【図３】図１の情報提供部４１の構成例を示すブロック図である。
【図４】図１の装着部６１および給油口／通信部８１の外観の構成例を示す図である。
【図５】図１の受信再生部８３の構成例を示すブロック図である。
【図６】情報提供サーバ１および情報提供部４１の動作を説明するフローチャートである。
【図７】受信再生部８３の動作を説明するフローチャートである。
【図８】受信再生部８３の他の動作を説明するフローチャートである。
【図９】受信再生部５０１の構成例を示すブロック図である。
【符号の説明】
１  情報提供サーバ，  ２  給油装置，  ３  自動車，  １０  制御部，  １１  表示部，  １２  操作部，  １３  使用許諾条件記憶部，  １４  楽曲データ記憶部，  １５  通信部，  ４１  情報提供部，  ４２  給油部，  ５０  制御部，  ５１  表示部，  ５２  操作部，  ５３  通信部，  ５４  通信部，  ６１  装着部，  ７１  パイプ，  ７２  データ送信用光リンク，  ７３  データ受信用光リンク，  ７４  レバー，  ８１  給油口／通信部，  ８２  タンク，  ８３  受信再生部，  １００  制御部，  １０１  通信部，  １０２  通信部，  １０３  表示部，  １０４  操作部，  １０５  再生部，  １０６  楽曲データ記憶部
【図１】
0004449125.tif 000002
【図２】
0004449125.tif 000003
【図３】
0004449125.tif 000004
【図４】
0004449125.tif 000005
【図５】
0004449125.tif 000006
【図６】
0004449125.tif 000007
【図７】
0004449125.tif 000008
【図８】
0004449125.tif 000009
【図９】
0004449125.tif 000010